(57)【要約】【課題】利用者の明示的な操作なしに、携帯電話としての通信か子機としての通信かを切り替える。【解決手段】通信切り替え部１０４は、装着部１０１にＵＩＭカード１９９が装着されている場合に、無線通信部１０２による通信を行い、装着部１０１にＵＩＭカード１９９が装着されていない場合に、近距離通信部１０３による通信を行う。【選択図】図２
2013048330.tif 000002
【特許請求の範囲】
【請求項１】
無線通信により基地局装置との通信を行う第１の通信部と、
無線通信により他の通信装置との通信を行い、当該他の通信装置を介して前記基地局装置との通信を行う第２の通信部と、
前記第１の通信部による通信に必要な情報を記憶する記憶媒体を装着される装着部と、
前記装着部に前記記憶媒体が装着されている場合に、前記第１の通信部による通信を行い、前記装着部に前記記憶媒体が装着されていない場合に、前記第２の通信部による通信を行う通信切り替え部と
を備えることを特徴とする通信装置。
【請求項２】
他の通信装置を識別する識別情報を記憶する他装置情報記憶部と、
前記他装置情報記憶部に他の通信装置の識別情報を記録する他装置情報記録部と
を備え、
前記第２の通信部は、前記他装置情報記憶部が記憶する識別情報が示す通信装置を介して前記基地局装置との通信を行う
ことを特徴とする請求項１に記載の通信装置。
【請求項３】
前記記憶媒体の前記装着部からの取り外しを検出する取り外し検出部を備え、
前記他装置情報記録部は、前記取り外し検出部によって前記記憶媒体の取り外しが検出された場合に、前記他装置情報記憶部に前記他の通信装置の識別情報を記録する
ことを特徴とする請求項２に記載の通信装置。
【請求項４】
前記第２の通信部による通信範囲内に存在する他の通信装置を探索する探索部を備え、
前記他装置情報記録部は、前記探索部によって探索された他の通信装置の識別情報を前記他装置情報記憶部に記録する
ことを特徴とする請求項２または請求項３に記載の通信装置。
【請求項５】
前記装着部に最後に装着された記憶媒体が記憶する情報を記憶する媒体情報記憶部と、
前記装着部に記憶媒体が装着されたときに、前記記憶媒体が記憶する情報を、前記媒体情報記憶部に上書きする媒体情報記録部と
を備え、
前記他装置情報記録部は、他の通信装置に装着されている記憶媒体が、前記媒体情報記憶部が記憶する情報と一致する情報を記憶している場合に、当該他の通信装置の識別情報を前記他装置情報記憶部に記録する
ことを特徴とする請求項２から請求項４の何れか１項に記載の通信装置。
【請求項６】
無線通信により他の通信装置から情報を受信し、当該情報を前記基地局装置に転送する転送部
を備えることを特徴とする請求項１から請求項５の何れか１項に記載の通信装置。
【請求項７】
他の通信装置を識別する識別情報を記憶する他装置情報記憶部と、
前記他装置情報記憶部に他の通信装置の識別情報を記録する他装置情報記録部と
を備え、
前記転送部は、前記他装置情報記憶部が記憶する識別情報が示す通信装置から情報を受信し、当該情報を前記基地局装置に転送する
ことを特徴とする請求項６に記載の通信装置。
【請求項８】
前記記憶媒体の前記装着部への取り付けを検出する取り付け検出部を備え、
前記他装置情報記録部は、前記取り付け検出部によって前記記憶媒体の取り付けが検出された場合に、前記他装置情報記憶部に前記他の通信装置の識別情報を記録する
ことを特徴とする請求項７に記載の通信装置。
【請求項９】
前記転送部による他の通信装置との通信範囲内に存在する他の通信装置を探索する探索部を備え、
前記他装置情報記録部は、前記探索部によって探索された他の通信装置の識別情報を前記他装置情報記憶部に記録する
ことを特徴とする請求項７または請求項８に記載の通信装置。
【請求項１０】
他の通信装置が記憶する情報を取得する情報取得部を備え、
前記他装置情報記録部は、前記情報取得部が取得した情報が、前記装着部に装着されている記憶媒体が記憶する情報と一致する場合に、当該他の通信装置の識別情報を前記他装置情報記憶部に記録する
ことを特徴とする請求項７から請求項９の何れか１項に記載の通信装置。
【請求項１１】
基地局装置との通信に必要な情報を記憶する記憶媒体を装着される装着部を備える通信装置を用いた通信切り替え方法であって、
前記装着部に前記記憶媒体が装着されている場合、無線通信により基地局装置との通信を行い、
前記装着部に前記記憶媒体が装着されていない場合、無線通信により他の通信装置との通信を行い、当該他の通信装置を介して前記基地局装置との通信を行う
ことを特徴とする通信切り替え方法。
【請求項１２】
基地局装置との通信に必要な情報を記憶する記憶媒体を装着される装着部を備える通信装置を、
前記装着部に前記記憶媒体が装着されている場合、無線通信により基地局装置との通信を行い、前記装着部に前記記憶媒体が装着されていない場合、無線通信により他の通信装置との通信を行い、当該他の通信装置を介して前記基地局装置との通信を行う通信切り替え部
として機能させるためのプログラム。
【発明の詳細な説明】
【技術分野】
【０００１】
本発明は、基地局装置との無線通信を行う通信装置、通信切り替え方法及びプログラムに関する。
【背景技術】
【０００２】
携帯電話やスマートフォン等の通信装置の中には、ＵＩＭ（Ｕｓｅｒ  Ｉｄｅｎｔｉｔｙ  Ｍｏｄｕｌｅ）カードやＳＩＭ（Ｓｕｂｓｃｒｉｂｅｒ  Ｉｄｅｎｔｉｔｙ  Ｍｏｄｕｌｅ）カードなどのカードを装着して使用するものがある。これらのカードには、カードを一意に識別するための固有情報や、利用者を識別するための電話番号、顧客番号、氏名などの利用者情報が記憶されている。通信装置は、カードが記憶する情報に基づいて基地局装置との通信を行うことで、通話機能や通信機能を実現している（例えば、特許文献１を参照）。これにより、ＵＩＭカードの付け替えによって通信装置の機種を簡易に変更することができる。
【０００３】
また、特許文献２には、家庭用無線基地局にＳＩＭカードを装着することで、通信装置を家庭用無線基地局の子機として動作させる技術が開示されている。
また、特許文献３には、内線電話機にＳＩＭカードを装着することで、当該内線電話機を携帯電話として動作させる技術が開示されている。
【先行技術文献】
【特許文献】
【０００４】
【特許文献１】特開２００７−２８１７４５号公報
【特許文献２】特開２００１−１９７５５７号公報
【特許文献３】特開２００８−０６１０５９号公報
【発明の概要】
【発明が解決しようとする課題】
【０００５】
しかしながら、ＵＩＭカードが取り外された通信装置は、基地局装置との通信ができなくなり、機種変更前の通信装置を有効に使用することができないという問題があった。また、特許文献２、３に示すように、通信装置が子機としての機能と携帯電話としての機能のそれぞれを有する場合、通信を行うに当たっていずれの機能を用いて通信するかを選択する必要があり、利用者にとって不便であった。
本発明は、上記の問題に鑑みてなされたものであり、ＵＩＭカードが取り外されても有効に使用することができる通信装置を提供することを課題とする。
【課題を解決するための手段】
【０００６】
本発明は上記の課題を解決するためになされたものであり、無線通信により基地局装置との通信を行う第１の通信部と、無線通信により他の通信装置との通信を行い、当該他の通信装置を介して前記基地局装置との通信を行う第２の通信部と、前記第１の通信部による通信に必要な情報を記憶する記憶媒体を装着される装着部と、前記装着部に前記記憶媒体が装着されている場合に、前記第１の通信部による通信を行い、前記装着部に前記記憶媒体が装着されていない場合に、前記第２の通信部による通信を行う通信切り替え部とを備えることを特徴とする通信装置である。
【０００７】
また、本発明は、基地局装置との通信に必要な情報を記憶する記憶媒体を装着される装着部を備える通信装置を用いた通信切り替え方法であって、前記装着部に前記記憶媒体が装着されている場合、無線通信により基地局装置との通信を行い、前記装着部に前記記憶媒体が装着されていない場合、無線通信により他の通信装置との通信を行い、当該他の通信装置を介して前記基地局装置との通信を行うことを特徴とする。
【０００８】
また、本発明は、基地局装置との通信に必要な情報を記憶する記憶媒体を装着される装着部を備える通信装置を、前記装着部に前記記憶媒体が装着されている場合、無線通信により基地局装置との通信を行い、前記装着部に前記記憶媒体が装着されていない場合、無線通信により他の通信装置との通信を行い、当該他の通信装置を介して前記基地局装置との通信を行う通信切り替え部として機能させるためのプログラムである。
【発明の効果】
【０００９】
本発明によれば、ＵＩＭカード等の記憶媒体が装着されているか否かに基づいて、携帯電話として基地局装置との通信を行うか、他の通信装置の子機として基地局装置との通信を行うかを切り替えることができる。これにより、ＵＩＭカード等の記憶媒体が取り外されても通信装置を有効に使うことができる。また、本発明によれば、記憶媒体の有無によって通信方法の選択を自動的に行うので、利用者が通信方法の選択を行う必要が無くなる。
【図面の簡単な説明】
【００１０】
【図１】本発明の一実施形態による通信装置を備える通信システムの構成図である。
【図２】通信装置の構成を示す概略ブロック図である。
【図３】ＵＩＭカードが記憶する情報の例を示す図である。
【図４】通信装置にＵＩＭカードが装着されていないときの動作を示すフローチャートである。
【図５】通信装置にＵＩＭカードが装着されているときの動作を示すフローチャートである。
【図６】通信装置による発信動作を示すフローチャートである。
【図７】親機通話処理の動作を示すフローチャートである。
【図８】通常通話処理の動作を示すフローチャートである。
【図９】子機通話処理の動作を示すフローチャートである。
【図１０】子機側の通信装置からの発信開始要求を受け付ける親機側の通信装置の動作を示すフローチャートである。
【図１１】通信装置による着信動作を示すフローチャートである。
【図１２】親機側の通信装置からの通話開始要求を受け付ける子機側の通信装置の動作を示すフローチャートである。
【図１３】他の実施形態による通信装置１の構成を示す概略ブロック図である。
【発明を実施するための形態】
【００１１】
以下、図面を参照しながら本発明の実施形態について詳しく説明する。
図１は、本発明の一実施形態による通信装置１を備える通信システムの構成図である。
通信装置１は、ＵＩＭカードが装着されている場合、基地局装置２との無線通信を行う。また、通信装置１は、ＵＩＭカードが装着されていない場合、他の通信装置１と無線通信を行い、当該他の通信装置１を介して基地局装置２との通信を行う。すなわち、通信装置１は、ＵＩＭカードが装着されていない場合、他の通信装置１の子機として通信を行う。なお、通信装置１は、基地局装置２との無線通信を行うことで、当該基地局装置２に接続された交換機を介し、通話やパケット通信を行う。
【００１２】
図２は、通信装置１の構成を示す概略ブロック図である。
通信装置１は、ＣＰＵ（Ｃｅｎｔｒａｌ  Ｐｒｏｃｅｓｓｉｎｇ  Ｕｎｉｔ）やメモリ等から構成されるコンピュータシステムと、ＵＩＭカード１９９（記憶媒体）を装着される装着部１０１とを備える。
通信装置１のコンピュータシステムは、無線通信部１０２（第１の通信部）、近距離通信部１０３（第２の通信部）、通信切り替え部１０４、取り外し検出部１０５、親機情報記録部１０６（他装置情報記録部）、親機情報記憶部１０７（他装置情報記憶部）、取り付け検出部１０８、子機情報記録部１０９（他装置情報記録部）、子機情報記憶部１１０（他装置情報記憶部）、媒体情報記録部１１１、媒体情報記憶部１１２、探索部１１３（情報取得部）、媒体情報送信部１１４、転送部１１５を備える。
【００１３】
無線通信部１０２は、ＵＩＭカード１９９が記憶する情報を用いて、無線通信により基地局装置２との通信を行う。すなわち、無線通信部１０２は、携帯電話の通信機能を発揮する処理部である。
近距離通信部１０３は、無線ＬＡＮや、Ｂｌｕｅｔｏｏｔｈ（登録商標）、赤外線通信などの近距離通信により、当該近距離通信の通信範囲内に存在する他の通信装置１との通信を行う。特に、自装置が他の通信装置１の子機として動作する場合、近距離通信部１０３は、親機情報記憶部１０７が記憶する情報が示す他の通信装置１を介して、基地局装置２との通信を行う。
【００１４】
通信切り替え部１０４は、装着部１０１にＵＩＭカード１９９が装着されているか否かを判定し、ＵＩＭカード１９９が装着されている場合、無線通信部１０２による基地局装置２との無線通信を行うよう通信方法を切り替える。他方、ＵＩＭカード１９９が装着されていない場合、近距離通信部１０３により他の通信装置１と無線通信を行い、当該他の通信装置１を介して基地局装置２との通信を行うよう通信方法を切り替える。
【００１５】
取り外し検出部１０５は、装着部１０１からＵＩＭカード１９９が取り外されたか否かを判定する。
親機情報記録部１０６は、取り外し検出部１０５が装着部１０１からＵＩＭカード１９９が取り外されたと判定したときに、自装置の親機として動作させる他の通信装置１の情報の登録処理を行い、登録された情報を親機情報記憶部１０７に記録する。
親機情報記憶部１０７は、自装置の親機として動作させる他の通信装置１の情報を記憶する。
【００１６】
取り付け検出部１０８は、装着部１０１にＵＩＭカード１９９が取り付けられたか否かを判定する。
子機情報記録部１０９は、取り付け検出部１０８が装着部１０１にＵＩＭカード１９９が取り付けられたと判定したときに、自装置の子機として動作させる他の通信装置１の情報の登録処理を行い、登録された情報を子機情報記憶部１１０に記録する。
子機情報記憶部１１０は、自装置の子機として動作させる他の通信装置１の情報を記憶する。
【００１７】
媒体情報記録部１１１は、取り付け検出部１０８が装着部１０１にＵＩＭカード１９９が取り付けられたと判定したときに、ＵＩＭカード１９９が記憶する情報を媒体情報記憶部１１２に記録する。
媒体情報記憶部１１２は、装着部１０１に最後に装着されたＵＩＭカード１９９が記憶していた情報を記憶する。
【００１８】
探索部１１３は、近距離通信部１０３により近距離通信の通信範囲内に存在する他の通信装置１を探索する。また、探索部１１３は、探索された他の通信装置１に装着されているＵＩＭカード１９９が記憶する情報、または当該通信装置１に最後に装着されたＵＩＭカード１９９が記憶していた情報を、取得する。
媒体情報送信部１１４は、近距離通信部１０３が他の通信装置１からＵＩＭカード１９９の情報の送信要求を受け付けた場合、近距離通信部１０３を介して当該通信装置１に媒体情報記憶部１１２が記憶する情報を送信する。
転送部１１５は、近距離通信部１０３が、子機情報記憶部１１０が記憶する情報が示す通信装置１から、基地局装置２宛ての情報を受信した場合、無線通信部１０２を介して基地局装置２に当該情報を転送する。
【００１９】
次に、ＵＩＭカード１９９が記憶する情報について説明する。
図３は、ＵＩＭカード１９９が記憶する情報の例を示す図である。
図３に示すように、ＵＩＭカード１９９は、当該カード毎に割り振られたカードに固有の情報であるカード固有情報と、利用者の個人情報である利用者識別情報とを記憶する。
利用者識別情報の例としては、通話に使用する電話番号、利用者毎に通信事業者に割り振られた番号である顧客ＩＤ、その他、氏名や住所等の情報が挙げられる。
【００２０】
次に、本実施形態による通信装置１の動作について説明する。
図４は、通信装置１にＵＩＭカード１９９が装着されていないときの動作を示すフローチャートである。
通信装置１にＵＩＭカード１９９が装着されていない場合、取り付け検出部１０８は、装着部１０１にＵＩＭカード１９９が取り付けられたか否かを判定する（ステップＳ４０１）。取り付け検出部１０８は、装着部１０１へのＵＩＭカード１９９の取り付けを検出できなかった場合（ステップＳ４０１：ＮＯ）、ステップＳ４０１の判定処理を繰り返し実行する。
【００２１】
他方、取り付け検出部１０８が、装着部１０１へのＵＩＭカード１９９の取り付けを検出した場合（ステップＳ４０１：ＹＥＳ）、媒体情報記録部１１１は、ＵＩＭカード１９９から情報を読み出す（ステップＳ４０２）。次に、媒体情報記録部１１１は、読み出した情報を媒体情報記憶部１１２に記録する（ステップＳ４０３）。なお、このとき既に媒体情報記憶部１１２が他の情報を記憶していた場合、媒体情報記録部１１１は、読み出した情報を媒体情報記憶部１１２に上書きして記録する。
【００２２】
次に、探索部１１３は、近距離通信部１０３による近距離通信を起動する（ステップＳ４０４）。次に、探索部１１３は、近距離通信部１０３を介して、応答要求を送信することで、当該近距離通信の範囲内に他の通信装置１が存在するか否かの探索を行う（ステップＳ４０５）。次に、探索部１１３は、近距離通信の範囲内に他の通信装置１が存在するか否かを判定する（ステップＳ４０６）。具体的には、近距離通信部１０３が他の通信装置１から応答を受信したか否かによって当該判定を行う。
【００２３】
探索部１１３は、近距離通信の範囲内に他の通信装置１が存在すると判定した場合（ステップＳ４０６：ＹＥＳ）、近距離通信部１０３を介して、当該他の通信装置１から最後に装着されたＵＩＭカード１９９が記憶していた情報を取得する（ステップＳ４０７）。具体的には、以下の手順で情報を取得する。近距離通信部１０３は、当該通信装置１に対して、最後に装着されたＵＩＭカード１９９が記憶していた情報の送信要求を出力する。これにより、他の通信装置１の媒体情報送信部１１４は、近距離通信部１０３を介して媒体情報記憶部１１２が記憶する情報を当該通信装置１に送信する。次に、当該通信装置１の近距離通信部１０３は、当該他の通信装置１から最後に装着されたＵＩＭカード１９９が記憶していた情報を受信する。そして、探索部１１３は、近距離通信部１０３から当該情報を取得する。
【００２４】
次に、子機情報記録部１０９は、探索部１１３が取得した情報と媒体情報記憶部１１２が記憶する情報とが一致するか否かを判定する（ステップＳ４０８）。なお、ここで一致の有無の判定対象となる情報は、媒体情報記憶部１１２が記憶する全ての情報でなくても良い。例えば、図３に示すカード固有情報が一致するか否かを判定しても良いし、利用者識別情報が一致するか否かを判定しても良い。また、利用者識別情報のうち氏名が一致するか否かを判定するようにしても良い。また、情報の一致は、完全一致に限られず、例えば家族割引などの情報によって、両者の情報が所定の関連性を有する場合に、一致すると判定するようにしても良い。
【００２５】
ステップＳ４０８で子機情報記録部１０９が、情報が一致すると判定した場合（ステップＳ４０８：ＹＥＳ）、子機情報記録部１０９は、探索部１１３から他の通信装置１の識別情報（例えばＭＡＣアドレスなどの通信装置１に固有の情報）を取得する（ステップＳ４０９）。次に、子機情報記録部１０９は、取得した識別情報を子機情報記憶部１１０に記録する（ステップＳ４１０）。
【００２６】
次に、親機情報記録部１０６は、親機情報記憶部１０７に他の通信装置１の識別情報が記憶されているか否かを判定する（ステップＳ４１１）。親機情報記録部１０６は、親機情報記憶部１０７に他の通信装置１の識別情報が記憶されていると判定した場合（ステップＳ４１１：ＹＥＳ）、親機情報記憶部１０７が記憶する情報を削除する（ステップＳ４１２）。
【００２７】
そして、ステップＳ４０６で探索部１１３が、近距離通信の範囲内に他の通信装置１が存在しないと判定した場合（ステップＳ４０６：ＮＯ）、ステップＳ４０８で子機情報記録部１０９が、探索部１１３が取得した情報と媒体情報記憶部１１２が記憶する情報とが一致しないと判定した場合（ステップＳ４０８：ＮＯ）、ステップＳ４１１で親機情報記録部１０６が、親機情報記憶部１０７に他の通信装置１の識別情報が記憶されていないと判定した場合（ステップＳ４１１：ＮＯ）、またはステップＳ４１２で親機情報記憶部１０７が記憶する情報を削除した場合、ＵＩＭカード１９９が装着されていないときの処理を終了する。
【００２８】
図５は、通信装置１にＵＩＭカード１９９が装着されているときの動作を示すフローチャートである。
通信装置１にＵＩＭカード１９９が装着されている場合、取り外し検出部１０５は、装着部１０１からＵＩＭカード１９９が取り外されたか否かを判定する（ステップＳ５０１）。取り外し検出部１０５は、装着部１０１からのＵＩＭカード１９９の取り外しを検出できなかった場合（ステップＳ５０１：ＮＯ）、ステップＳ５０１の判定処理を繰り返し実行する。
【００２９】
他方、取り外し検出部１０５が、装着部１０１からのＵＩＭカード１９９の取り外しを検出した場合（ステップＳ５０１：ＹＥＳ）、探索部１１３は、近距離通信部１０３による近距離通信を起動する（ステップＳ５０２）。次に、探索部１１３は、近距離通信部１０３を介して、応答要求を送信することで、当該近距離通信の範囲内に他の通信装置１が存在するか否かの探索を行う（ステップＳ５０３）。次に、探索部１１３は、近距離通信の範囲内に他の通信装置１が存在するか否かを判定する（ステップＳ５０４）。具体的には、近距離通信部１０３が他の通信装置１から応答を受信したか否かによって当該判定を行う。
【００３０】
探索部１１３は、近距離通信の範囲内に他の通信装置１が存在すると判定した場合（ステップＳ５０４：ＹＥＳ）、近距離通信部１０３を介して、他の通信装置１に装着されているＵＩＭカード１９９が記憶している情報を取得する（ステップＳ５０５）。具体的には、以下の手順で情報を取得する。近距離通信部１０３は、他の通信装置１に対して、装着されているＵＩＭカード１９９が記憶する情報の送信要求を出力する。これにより、他の通信装置１の媒体情報送信部１１４は、近距離通信部１０３を介して媒体情報記憶部１１２が記憶する情報を当該通信装置１に送信する。次に、当該通信装置１の近距離通信部１０３は、他の通信装置１から最後に装着されたＵＩＭカード１９９が記憶していた情報を受信する。そして、探索部１１３は、近距離通信部１０３から当該情報を取得する。
【００３１】
次に、親機情報記録部１０６は、探索部１１３が取得した情報と媒体情報記憶部１１２が記憶する情報とが一致するか否かを判定する（ステップＳ５０６）。なお、ここで一致の有無の判定対象となる情報は、媒体情報記憶部１１２が記憶する全ての情報でなくても良い。例えば、図３に示すカード固有情報が一致するか否かを判定しても良いし、利用者識別情報が一致するか否かを判定しても良い。また、利用者識別情報のうち氏名が一致するか否かを判定するようにしても良い。
【００３２】
ステップＳ５０６で親機情報記録部１０６が、情報が一致すると判定した場合（ステップＳ５０６：ＹＥＳ）、親機情報記録部１０６は、探索部１１３から他の通信装置１の識別情報を取得する（ステップＳ５０７）。次に、親機情報記録部１０６は、取得した識別情報を親機情報記憶部１０７に記録する（ステップＳ５０８）。
【００３３】
次に、子機情報記録部１０９は、子機情報記憶部１１０に他の通信装置１の識別情報が記憶されているか否かを判定する（ステップＳ５０９）。子機情報記録部１０９は、子機情報記憶部１１０に他の通信装置１の識別情報が記憶されていると判定した場合（ステップＳ５０９：ＹＥＳ）、子機情報記憶部１１０が記憶する情報を削除する（ステップＳ５１０）。
【００３４】
そして、ステップＳ５０４で探索部１１３が、近距離通信の範囲内に他の通信装置１が存在しないと判定した場合（ステップＳ５０４：ＮＯ）、ステップＳ５０６で親機情報記録部１０６が、探索部１１３が取得した情報と媒体情報記憶部１１２が記憶する情報とが一致しないと判定した場合（ステップＳ５０６：ＮＯ）、ステップＳ５０９で子機情報記録部１０９が、子機情報記憶部１１０に他の通信装置１の識別情報が記憶されていないと判定した場合（ステップＳ５０９：ＮＯ）、またはステップＳ５１０で子機情報記憶部１１０が記憶する情報を削除した場合、ＵＩＭカード１９９が装着されているときの処理を終了する。
【００３５】
上述した処理により、２つの通信装置１が近距離通信の範囲内にあるときに、一方の通信装置１からＵＩＭカード１９９を取り外し、他方の通信装置１に取り付けることで、一方の通信装置１の親機情報記憶部１０７に他方の通信装置１の情報が記録され、他方の通信装置１の子機情報記憶部１１０に一方の通信装置１の情報が記録される。これにより、一方の通信装置１は、他方の通信装置１の子機として通信を行うことができるようになる。つまり、利用者は、子機・親機の登録にあたり、ボタン操作などの特別な操作を行うことなく、子機・親機の関連付けを行うことができる。また、本実施形態によれば、一方の通信装置１に装着されていたＵＩＭカード１９９の情報と、他方の通信装置１に装着されているＵＩＭカード１９９の情報とが一致する場合に、子機・親機の関連付けを行う。これにより、他人が所有する通信装置１が誤って子機または親機として登録されてしまうことを防ぐことができる。
【００３６】
次に、本実施形態による通信装置１による発信動作について説明する。
図６は、通信装置１による発信動作を示すフローチャートである。
通信装置１が、利用者によって発信操作を受け付けると（ステップＳ６０１）、通信切り替え部１０４は、装着部１０１にＵＩＭカード１９９が装着されているか否かを判定する（ステップＳ６０２）。ここで、発信操作とは、例えば通信装置１に設けられたボタン等の操作により発信先の電話番号の入力を受けた後、発信ボタン等の押下をする操作のことをいう。
【００３７】
通信切り替え部１０４は、装着部１０１にＵＩＭカード１９９が装着されていると判定した場合（ステップＳ６０２：ＹＥＳ）、無線通信部１０２によって基地局装置２との通信を行うことを決定する。無線通信部１０２は、無線通信により基地局装置２との通信を行い、所定の発信処理を実行する（ステップＳ６０３）。基地局装置２との間で発信処理を完了すると、転送部１１５は、子機情報記憶部１１０に他の通信装置１の識別情報が記憶されているか否かを判定する（ステップＳ６０４）。
【００３８】
転送部１１５は、子機情報記憶部１１０に他の通信装置１の識別情報が記憶されていると判定した場合（ステップＳ６０４：ＹＥＳ）、無線通信部１０２が基地局装置２から発信相手からの応答を受信したか否かを判定する（ステップＳ６０５）。転送部１１５は、基地局装置２から発信相手からの応答を受信していないと判定した場合（ステップＳ６０５：ＮＯ）、応答を受信するまでステップＳ６０５の判定を繰り返す。
【００３９】
他方、転送部１１５は、基地局装置２から発信相手からの応答を受信したと判定した場合（ステップＳ６０５：ＹＥＳ）、近距離通信部１０３を介して、子機情報記憶部１１０が記憶する識別情報が示す通信装置１（以下、子機側の通信装置１と呼ぶ）に通信開始要求を送信する（ステップＳ６０６）。以降、通信装置１は、親機として情報の中継を行う親機通話処理を実行し（ステップＳ６０７）、処理を終了する。
【００４０】
ここで、親機通話処理の動作について説明する。
図７は、親機通話処理の動作を示すフローチャートである。
まず、親機として動作する通信装置１の転送部１１５は、近距離通信部１０３を介して、子機側の通信装置１から、音声情報を受信する（ステップＳ７０１）。次に、転送部１１５は、受信した音声情報を、無線通信部１０２を介して基地局装置２に送信する（ステップＳ７０２）。
次に、転送部１１５は、無線通信部１０２を介して、基地局装置２から音声情報を受信する（ステップＳ７０３）。次に、転送部１１５は、近距離通信部１０３を介して、受信した音声情報を、子機側の通信装置１に送信する（ステップＳ７０４）。
【００４１】
次に、転送部１１５は、利用者によって通話終了操作を受け付けたか否かを判定する（ステップＳ７０５）。ここで、通話終了操作の例としては、例えば通信装置１に設けられた通話終了ボタンを押下する操作が挙げられる。転送部１１５は、利用者によって通話終了操作を受け付けたと判定した場合（ステップＳ７０５：ＹＥＳ）、無線通信部１０２を介して基地局装置２に通話終了要求を送信し、近距離通信部１０３を介して、子機側の通信装置１に通話終了要求を送信し（ステップＳ７０６）、通話処理を終了して（ステップＳ７１１）もとの処理に戻る。つまり、利用者が親機側の通信装置１に対して通話終了操作をした場合、親機側の通信装置１は、子機側の通信装置１と基地局装置２とに対して通話終了要求を送信することで、通話を終了する。
【００４２】
他方、転送部１１５は、利用者によって通話終了操作を受け付けていないと判定した場合（ステップＳ７０５：ＮＯ）、無線通信部１０２が基地局装置２から通話終了要求を受信したか否かを判定する（ステップＳ７０７）。転送部１１５は、基地局装置２から通話終了操作を受信したと判定した場合（ステップＳ７０７：ＹＥＳ）、近距離通信部１０３を介して、子機側の通信装置１に通話終了要求を送信し（ステップＳ７０８）、通話処理を終了して（ステップＳ７１１）もとの処理に戻る。つまり、通話相手が通話終了操作をした場合、基地局装置２で通話の終了処理がなされているため、親機側の通信装置１は、子機側の通信装置１に対してのみ通話終了要求を送信することで、通話を終了する。
【００４３】
他方、転送部１１５は、無線通信部１０２が基地局装置２から通話終了要求を受信していないと判定した場合（ステップＳ７０７：ＮＯ）、近距離通信部１０３が子機側の通信装置１から通話終了要求を受信したか否かを判定する（ステップＳ７０９）。転送部１１５は、子機側の通信装置１から通話終了操作を受信したと判定した場合（ステップＳ７０９：ＹＥＳ）、無線通信部１０２を介して、基地局装置２に通話終了要求を送信し（ステップＳ７１０）、通話処理を終了して（ステップＳ７１１）もとの処理に戻る。つまり、利用者が子機側の通信装置１に対して通話終了操作をした場合、子機側の通信装置１は通話の終了処理がなされているため、親機側の通信装置１は、基地局装置２に対してのみ通話終了要求を送信することで、通話を終了する。
【００４４】
他方、転送部１１５は、近距離通信部１０３が子機側通信装置１から通話終了要求を受信していないと判定した場合（ステップＳ７０９：ＮＯ）、通話を継続するため、ステップＳ７０１に戻り、処理を繰り返す。
【００４５】
次に、上述したステップＳ６０４（図６）において転送部１１５が、子機情報記憶部１１０に他の通信装置１の識別情報が記憶されていないと判定した場合（ステップＳ６０４：ＮＯ）の動作について説明する。
転送部１１５が、子機情報記憶部１１０に他の通信装置１の識別情報が記憶されていないと判定した場合（ステップＳ６０４：ＮＯ）、無線通信部１０２は、基地局装置２から発信相手からの応答を受信したか否かを判定する（ステップＳ６０８）。無線通信部１０２は、基地局装置２から発信相手からの応答を受信していないと判定した場合（ステップＳ６０８：ＮＯ）、応答を受信するまでステップＳ６０８の判定を繰り返す。
【００４６】
他方、無線通信部１０２は、基地局装置２から発信相手からの応答を受信したと判定した場合（ステップＳ６０８：ＹＥＳ）、以降、当該通信装置１を用いて基地局装置２を介して通話相手と通話を行う通常通話処理を実行し（ステップＳ６０９）、処理を終了する。
【００４７】
ここで、通常通話処理の動作について説明する。
図８は、通常通話処理の動作を示すフローチャートである。
まず、通信装置１の無線通信部１０２は、基地局装置２から、音声情報を受信する（ステップＳ８０１）。次に、無線通信部１０２は、受信した音声情報を、スピーカに出力することで、スピーカから音声を出力させる（ステップＳ８０２）。
次に、無線通信部１０２は、マイクから音声を入力する（ステップＳ８０３）。次に、無線通信部１０２は、入力した音声から音声情報を生成し、当該音声情報を基地局装置２に送信する（ステップＳ８０４）。
【００４８】
次に、無線通信部１０２は、利用者によって通話終了操作を受け付けたか否かを判定する（ステップＳ８０５）。無線通信部１０２は、利用者によって通話終了操作を受け付けたと判定した場合（ステップＳ８０５：ＹＥＳ）、基地局装置２に通話終了要求を送信し（ステップＳ８０６）、通話処理を終了して（ステップＳ７０９）もとの処理に戻る。
【００４９】
他方、無線通信部１０２は、利用者によって通話終了操作を受け付けていないと判定した場合（ステップＳ８０５：ＮＯ）、基地局装置２から通話終了要求を受信したか否かを判定する（ステップＳ８０７）。無線通信部１０２は、基地局装置２から通話終了操作を受信したと判定した場合（ステップＳ８０７：ＹＥＳ）、子機側の通信装置１に通話終了要求を送信し（ステップＳ８０８）、通話処理を終了して（ステップＳ７０９）もとの処理に戻る。
【００５０】
他方、無線通信部１０２は、基地局装置２から通話終了要求を受信していないと判定した場合（ステップＳ８０７：ＮＯ）、通話を継続するため、ステップＳ８０１に戻り、処理を繰り返す。
【００５１】
次に、上述したステップＳ６０２（図６）において通信切り替え部１０４が、装着部１０１にＵＩＭカード１９９が装着されていないと判定した場合（ステップＳ６０２：ＮＯ）の動作について説明する。
通信切り替え部１０４が、装着部１０１にＵＩＭカード１９９が装着されていないと判定した場合（ステップＳ６０２：ＮＯ）、近距離通信部１０３は、親機情報記憶部１０７に他の通信装置１の識別情報が記憶されているか否かを判定する（ステップＳ６１０）。近距離通信部１０３は、親機情報記憶部１０７に他の通信装置１の識別情報が記憶されていないと判定した場合（ステップＳ６１０：ＮＯ）、親機とすべき通信装置１が存在しないため、発信ができない旨をディスプレイ等に表示し、処理を終了する。
【００５２】
近距離通信部１０３は、親機情報記憶部１０７に他の通信装置１の識別情報が記憶されていると判定した場合（ステップＳ６１０：ＹＥＳ）、親機情報が記憶する識別情報が示す通信装置１（以下、親機側の通信装置１と呼ぶ）に、発信開始要求を送信する（ステップＳ６１１）。次に、近距離通信部１０３は、親機側の通信装置１から通信開始要求を受信したか否かを判定する（ステップＳ６１２）。近距離通信部１０３は、親機側の通信装置１から通信開始要求を受信していないと判定した場合（ステップＳ６１２：ＮＯ）、通信開始要求を受信するまでステップＳ６１２の判定を繰り返す。
【００５３】
他方、近距離通信部１０３は、親機側の通信装置１から通信開始要求を受信したと判定した場合（ステップＳ６１２：ＹＥＳ）、以降、親機側の通信装置１を介して通話相手と通話を行う子機通話処理を実行し（ステップＳ６１３）、処理を終了する。
【００５４】
ここで、子機通話処理の動作について説明する。
図９は、子機通話処理の動作を示すフローチャートである。
まず、子機側の通信装置１の近距離通信部１０３は、親機側の通信装置１から、音声情報を受信する（ステップＳ９０１）。次に、近距離通信部１０３は、受信した音声情報を、スピーカに出力することで、スピーカから音声を出力させる（ステップＳ９０２）。
次に、近距離通信部１０３は、マイクから音声を入力する（ステップＳ９０３）。次に、近距離通信部１０３は、入力した音声から音声情報を生成し、当該音声情報を親機側の通信装置１に送信する（ステップＳ９０４）。
【００５５】
次に、近距離通信部１０３は、利用者によって通話終了操作を受け付けたか否かを判定する（ステップＳ９０５）。近距離通信部１０３は、利用者によって通話終了操作を受け付けたと判定した場合（ステップＳ９０５：ＹＥＳ）、親機側の通信装置１に通話終了要求を送信し（ステップＳ９０６）、通話処理を終了して（ステップＳ９０８）もとの処理に戻る。
【００５６】
他方、近距離通信部１０３は、利用者によって通話終了操作を受け付けていないと判定した場合（ステップＳ９０５：ＮＯ）、親機側の通信装置１から通話終了要求を受信したか否かを判定する（ステップＳ９０７）。近距離通信部１０３は、ステップＳ７０６により親機側の通信装置１から通話終了操作を受信したと判定した場合（ステップＳ９０７：ＹＥＳ）、通話処理を終了して（ステップＳ９０８）もとの処理に戻る。
【００５７】
他方、近距離通信部１０３は、親機側の通信装置１から通話終了要求を受信していないと判定した場合（ステップＳ９０７：ＮＯ）、通話を継続するため、ステップＳ９０１に戻り、処理を繰り返す。
【００５８】
ここで、子機側の通信装置１から図６のステップＳ６１１で発信開始要求が送信された親機側の通信装置１の動作について説明する。
図１０は、子機側の通信装置１からの発信開始要求を受け付ける親機側の通信装置１の動作を示すフローチャートである。
親機側の通信装置１の近距離通信部１０３は、まず子機側の通信装置１から発信開始要求を受信したか否かを判定する（ステップＳ１００１）。近距離通信部１０３は、発信開始要求を受信していない場合（ステップＳ１００１：ＮＯ）、発信開始要求を受信するまでステップＳ１００１の判定を繰り返す。
【００５９】
次に、無線通信部１０２は、無線通信により基地局装置２との通信を行い、所定の発信処理を実行する（ステップＳ１００２）。基地局装置２との間で発信処理を完了すると、無線通信部１０２は、基地局装置２から応答を受信したか否かを判定する（ステップＳ１００３）。無線通信部１０２は、基地局装置２から応答を受信していないと判定した場合（ステップＳ１００３：ＮＯ）、応答を受信するまでステップＳ１００３の判定を繰り返す。
【００６０】
他方、無線通信部１０２が、基地局装置２から発信相手からの応答を受信したと判定した場合（ステップＳ１００３：ＹＥＳ）、転送部１１５は、近距離通信部１０３を介して、子機側の通信装置１に通信開始要求を送信する（ステップＳ１００４）。以降、通信装置１は、親機として情報の中継を行う親機通話処理を実行し（ステップＳ１００５）、処理を終了する。
【００６１】
次に、本実施形態による通信装置１による着信動作について説明する。
図１１は、通信装置１による着信動作を示すフローチャートである。
まず、通信装置１の無線通信部１０２は、他の通信装置１から、基地局装置２を介して着信を受けたか否かを判定する（ステップＳ１１０１）。無線通信部１０２は、着信を受けていないと判定した場合（ステップＳ１１０１：ＮＯ）、着信を受けるまでステップＳ１１０１の判定を繰り返す。
【００６２】
他方、無線通信部１０２は、基地局装置２から着信を受けたと判定した場合（ステップＳ１００１：ＹＥＳ）、スピーカ等に着信の報知命令を出力する（ステップＳ１１０２）。これにより、スピーカが着信音を出力したり、バイブレータが震動したりすることで、着信していることを利用者に報知する。
次に、転送部１１５は、子機情報記憶部１１０に他の通信装置１の識別情報が記憶されているか否かを判定する（ステップＳ１１０３）。転送部１１５は、子機情報記憶部１１０に他の通信装置１の識別情報が記憶されていると判定した場合（ステップＳ１１０３：ＹＥＳ）、近距離通信部１０３を介して子機側の通信装置１に着信開始要求を送信する（ステップＳ１１０４）。
【００６３】
次に、転送部１１５は、利用者によって通話開始操作を受け付けたか否かを判定する（ステップＳ１１０５）。ここで、通話開始操作の例としては、例えば通信装置１に設けられた通話開始ボタンを押下する操作が挙げられる。転送部１１５は、利用者によって通話開始操作を受け付けたと判定した場合（ステップＳ１１０５：ＹＥＳ）、無線通信部１０２を介して基地局装置２に通話開始要求を送信し、近距離通信部１０３を介して、子機側の通信装置１に通話開始要求を送信する（ステップＳ１１０６）。そして、通話装置は、親機通話処理を実行し（ステップＳ１１０７）、処理を終了する。
【００６４】
他方、ステップＳ１１０５で転送部１１５が、利用者によって通話開始操作を受け付けていないと判定した場合（ステップＳ１１０５：ＮＯ）、近距離通信部１０３は、子機側の通信装置１から通話開始要求を受信したか否かを判定する（ステップＳ１１０８）。近距離通信部１０３が、子機側の通信装置１から通話開始要求を受信したと判定した場合（ステップＳ１１０８：ＹＥＳ）、転送部１１５は、無線通信部１０２を介して基地局装置２に通話開始要求を送信する（ステップＳ１１０９）。そして、通話装置は、親機通話処理を実行し（ステップＳ１１０７）、処理を終了する。
【００６５】
また、ステップＳ１１０３で、転送部１１５が、子機情報記憶部１１０に他の通信装置１の識別情報が記憶されていないと判定した場合（ステップＳ１１０３：ＮＯ）、無線通信部１０２は、利用者によって通話開始操作を受け付けたか否かを判定する（ステップＳ１１１０）。無線通信部１０２は、利用者によって通話開始操作を受け付けていないと判定した場合（ステップＳ１１１０：ＮＯ）、通話開始操作を受け付けるまでステップＳ１１１０の処理を繰り返す。
【００６６】
他方、無線通信部１０２は、利用者によって通話開始操作を受け付けたと判定した場合（ステップＳ１１１０：ＹＥＳ）、基地局装置２に通話開始要求を送信する（ステップＳ１１１１）。そして、通信装置１は、通常通話処理を実行し（ステップＳ１１１２）、処理を終了する。
【００６７】
ここで、親機側の通信装置１から図１１のステップＳ１１０４で通話開始要求が送信された子機側の通信装置１の動作について説明する。
図１２は、親機側の通信装置１からの通話開始要求を受け付ける子機側の通信装置１の動作を示すフローチャートである。
まず、子機側の通信装置１の近距離通信部１０３は、親機側の通信装置１から、通話開始要求を受信したか否かを判定する（ステップＳ１２０１）。近距離通信部１０３は、通話開始要求を受信していないと判定した場合（ステップＳ１２０１：ＮＯ）、通話開始要求を受信するまでステップＳ１２０１の判定を繰り返す。
【００６８】
他方、近距離通信部１０３は、親機側の通信装置１から通話開始要求を受信したと判定した場合（ステップＳ１２０１：ＹＥＳ）、スピーカ等に着信の報知命令を出力する（ステップＳ１２０２）。これにより、スピーカが着信音を出力したり、バイブレータが震動したりすることで、親機側の通信装置１が着信していることを利用者に報知する。
次に、近距離通信部１０３は、利用者によって通話開始操作を受け付けたか否かを判定する（ステップＳ１２０３）。近距離通信部１０３は、利用者によって通話開始操作を受け付けたと判定した場合（ステップＳ１２０３：ＹＥＳ）、親機側の通信装置１に通話開始要求を送信する（ステップＳ１２０４）。そして、子機側の通話装置は、子機通話処理を実行し（ステップＳ１２０５）、処理を終了する。
【００６９】
他方、ステップＳ１２０３で近距離通信部１０３が、利用者によって通話開始操作を受け付けていないと判定した場合（ステップＳ１２０３：ＮＯ）、近距離通信部１０３は、ステップＳ１１０６の処理によって親機側の通信装置１から通話開始要求を受信したか否かを判定する（ステップＳ１２０６）。近距離通信部１０３が、親機側の通信装置１から通話開始要求を受信したと判定した場合（ステップＳ１２０６：ＹＥＳ）、子機側の通話装置は、子機通話処理を実行し（ステップＳ１２０５）、処理を終了する。
【００７０】
また、ステップＳ１２０６で、近距離通信部１０３が、親機側の通信装置１から通話開始要求を受信していないと判定した場合（ステップＳ１２０６：ＮＯ）、ステップＳ１２０３に戻り、判定処理を繰り返す。
【００７１】
以上、本実施形態によれば、通信切り替え部１０４は、装着部１０１にＵＩＭカード１９９が装着されている場合に、無線通信部１０２による通信を行い、装着部１０１にＵＩＭカード１９９が装着されていない場合に、近距離通信部１０３による通信を行う。これにより、通信装置１は、利用者の明示的な操作なしに、携帯電話としての通信か子機としての通信かを切り替えることができる。
【００７２】
また、本実施形態によれば、親機情報記録部１０６は、取り外し検出部１０５によってＵＩＭカード１９９の取り外しが検出された場合に、親機情報記憶部１０７に他の通信装置１の識別情報を記録する。また、子機情報記録部１０９は、取り付け検出部１０８によってＵＩＭカード１９９の取り付けが検出された場合に、子機情報記憶部１１０に他の通信装置１の識別情報を記録する。これにより、通信装置１は、利用者の明示的な操作なしに、親機または子機とする通信装置１の登録動作を実行することができる。
【００７３】
また、本実施形態によれば親機情報記録部１０６及び子機情報記録部１０９は、探索部１１３によって探索された他の通信装置１の識別情報を親機情報記憶部１０７または子機情報記憶部１１０に記録する。これにより、通信装置１は、利用者の明示的な操作なしに、親機または子機とする通信装置１を特定することができる。つまり、利用者は、機種変更などをして、古い通信装置１から新しい通信装置１にＵＩＭカード１９９を映したとしても、古い通信装置１を子機として利用することができる。特に、新しい通信装置１がタブレット端末など通話に適さない形状であり、古い通信装置１が通話に適した形状である場合に便利である。
【００７４】
また、本実施形態によれば、親機情報記録部１０６及び子機情報記録部１０９は、他の通信装置１に装着されたＵＩＭカード１９９の情報と自装置に装着されたＵＩＭカード１９９の情報とが一致する場合に、他の通信装置１の識別情報を親機情報記憶部１０７または子機情報記憶部１１０に記録する。これにより、通信装置１は、利用者の明示的な操作なしに、当該利用者が所有する通信装置１を親機または子機として設定することができる。
【００７５】
以上、図面を参照してこの発明の一実施形態について詳しく説明してきたが、具体的な構成は上述のものに限られることはなく、この発明の要旨を逸脱しない範囲内において様々な設計変更等をすることが可能である。
【００７６】
図１３は、他の実施形態による通信装置１の構成を示す概略ブロック図である。
例えば、本実施形態では、通信装置１が子機として動作する場合は、近距離通信部１０３を常時起動させておき、親機側の通信装置１と通信する場合を説明したが、これに限られない。図１３に示すように、通信装置１が無線通信部１０２が用いる周波数帯の電波を捕捉する電波捕捉部１１６を備え、子機側の通信装置１の電波捕捉部１１６が、当該周波数帯の電波強度が所定の閾値以上になったと判定したときに、近距離通信部１０３を起動させるよう制御しても良い。なお、通信装置１からＵＩＭカード１９９が取り外されたとしても、無線通信部１０２が用いるアンテナは、無線通信部１０２が用いる周波数の電波を捕捉することはできるため、電波捕捉部１１６は、当該アンテナを介して電波の補足を行う。無線通信部１０２が用いる周波数帯の電波強度が大きくなったということは、子機側の通信装置１の近傍に存在する通信装置１に着信があったか、または当該通信装置１が発信したかのいずれかである可能性が高い。したがって、子機側の通信装置１は、親機側の通信装置１との通信が発生する可能性が高い適切なタイミングで近距離通信部１０３を起動することができ、省電力を図ることができる。
【００７７】
また、例えば、本実施形態では、通信装置１が携帯電話やスマートフォンである場合を説明したが、これに限られず、ＰＣ（Ｐｅｒｓｏｎａｌ  Ｃｏｍｐｕｔｅｒ）やＰＤＡ（Ｐｅｒｓｏｎａｌ  Ｄｉｇｉｔａｌ  Ａｓｓｉｓｔａｎｔ）、タブレット端末など、基地局装置２を介して通話することができる他の端末であっても良い。
【００７８】
また、本実施形態では、各記憶部が通信端末の内部に設けられる場合を説明したが、これに限られず、例えばメモリカードや外付けハードディスクなど、任意の外部記憶装置に設けられていても良い。
【００７９】
また、本実施形態では、ステップＳ４０７、Ｓ４０８で一方の通信装置１がＵＩＭ情報の照合を行う際、一方の通信装置１が他方の通信装置１からＵＩＭ情報を取得した後、当該情報が自装置のＵＩＭ情報と一致するか否かを判定することで照合を行う場合を説明したが、これに限られない。例えば、一方の通信装置１が他方の通信装置１へＵＩＭ情報を送信し、他方の通信装置１においてＵＩＭ情報の照合を行い、照合結果を一方の通信装置１に送信することで、一方の通信装置１において照合結果を得るようにしても良い。
【００８０】
また、本実施形態では、ＵＩＭカード１９９が抜き差しされたときに、他の通信装置１の探索を行う場合を説明したが、これに限られず、利用者の操作によって任意のタイミングで探索を開始するようにしても良い。
【００８１】
また、本実施形態では、親機情報記憶部１０７と子機情報記憶部１１０とを別個に備える場合を説明したが、これに限られず、１つの記憶部（他装置情報記憶部）に他の通信装置１の情報を記録するようにしても良い。
【００８２】
なお、上述の通信装置１は内部に、コンピュータシステムを有している。そして、上述した各処理部の動作は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００８３】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００８４】
１…通信装置  １０２…無線通信部  １０３…近距離通信部  １０４…通信切り替え部  １０５…取り外し検出部  １０６…親機情報記録部  １０７…親機情報記憶部  １０８…取り付け検出部  １０９…子機情報記録部  １１０…子機情報記憶部  １１１…媒体情報記録部  １１２…媒体情報記憶部  １１３…探索部  １１４…媒体情報送信部  １１５…転送部  １９９…ＵＩＭカード  ２…基地局装置
【図１】
2013048330.tif 000003
【図２】
2013048330.tif 000004
【図３】
2013048330.tif 000005
【図４】
2013048330.tif 000006
【図５】
2013048330.tif 000007
【図６】
2013048330.tif 000008
【図７】
2013048330.tif 000009
【図８】
2013048330.tif 000010
【図９】
2013048330.tif 000011
【図１０】
2013048330.tif 000012
【図１１】
2013048330.tif 000013
【図１２】
2013048330.tif 000014
【図１３】
2013048330.tif 000015